(57)【要約】【課題】カソード電極とカソード電源ラインを多数のコンタクトホールを通じて連結して電流移動度を増加させ、カソード電源ラインでの電圧降下（ＩＲ  ｄｒｏｐ）を防止することができる有機電界発光表示装置を提供する。【解決手段】本発明は、各々第１及び第２電極と、第１及び第２電極の間に介在された有機薄膜層を具備する多数の画素が配列された画素領域と、前記画素領域の画素に第１レベルの電圧を提供するための第１電源ラインと、第２電極へ第２レベルの電圧を提供するための、少なくとも前記第２電極と重畳される領域を具備する第２電源ライン２７０とを含み、前記第２電源ライン２７０は、前記重畳領域に前記第２電極との連結のための多数のコンタクトホール２８０を具備し、各々のコンタクトホール２８０の円周長さの合計が前記重畳領域の円周長さより大きい有機電界発光表示装置を提供する。【選択図】図１
2005197202.tif 000002
【特許請求の範囲】
【請求項１】
各々第１及び第２電極と、第１及び第２電極の間に介在された有機薄膜層を具備する多数の画素が配列された画素領域と、
前記画素領域の画素に第１レベルの電圧を提供するための第１電源ラインと、
前記第２電極へ第２レベルの電圧を提供するための、少なくとも前記第２電極と重畳される領域を具備する第２電源ラインとを含み、
前記第２電源ラインは、前記重畳領域に前記第２電極との連結のための多数のコンタクトホールを備え、
各々のコンタクトホールの円周長さの合計が前記重畳領域の円周長さより大きいことを特徴とする有機電界発光表示装置。
【請求項２】
前記第２電源ラインと第２電極の重畳領域で、コンタクトホールの同一レベルを持つ等電位線が多数個であることを特徴とする請求項１記載の有機電界発光表示装置。
【請求項３】
前記第２電源ラインと第２電極の重畳領域にコンタクトホールの同一レベルの最低電流量地点が多数個であることを特徴とする請求項１記載の有機電界発光表示装置。
【請求項４】
前記コンタクトホールは、直四角形または正四角形の構造を持つことを特徴とする請求項１記載の有機電界発光表示装置。
【請求項５】
前記隣接するコンタクトホール間の間隔は、前記コンタクトホールの行方向長さ及び列方向長さの中で少なくとも一つの長さと同一であるかまたは小さいことを特徴とする請求項４記載の有機電界発光表示装置。
【請求項６】
前記コンタクトホールは、円形または楕円形の構造を持つことを特徴とする請求項１記載の有機電界発光表示装置。
【請求項７】
前記コンタクトホールが円形である場合、前記隣接するコンタクトホール間の間隔は前記コンタクトホールの直径と同一であるかまたはそれより小さいことを特徴とする請求項６記載の有機電界発光表示装置。
【請求項８】
外部から前記第２電源ラインへ提供される電圧は、前記第２電源ラインの少なくとも一側の一つの位置で提供されることを特徴とする請求項１記載の有機電界発光表示装置。
【請求項９】
前記多数のコンタクトホールは、同一サイズを持ち、隣接するコンタクトホール間に互いに同一である間隔を置いて配列されることを特徴とする請求項１記載の有機電界発光表示装置。
【請求項１０】
各々第１及び第２電極と、第１及び第２電極の間に介在された有機薄膜層を具備する多数の画素が配列された画素領域と、
前記画素領域の画素に第１レベルの電圧を提供するための第１電源ラインと、
前記第２電極へ第２レベルの電圧を提供するための、少なくとも前記第２電極と重畳される領域を具備する第２電源ラインとを含み、
前記第２電源ラインは、前記画素領域の少なくとも一側に配列され、前記重畳領域に前記第２電極との連結のための多数のコンタクトホールを備え、
前記第２電源ラインは、前記電圧を前記第２電極へ提供するための多数の補助電源ラインを具備することを特徴とする有機電界発光表示装置。
【請求項１１】
前記第２電源ラインと第２電極の重畳領域にコンタクトホールの同一レベルを持つ等電位線が多数個であることを特徴とする請求項１０記載の有機電界発光表示装置。
【請求項１２】
前記第２電源ラインと第２電極の重畳領域にコンタクトホールの同一レベルの最低電流量地点が多数個であることを特徴とする請求項１０記載の有機電界発光表示装置。
【請求項１３】
前記コンタクトホールは、直四角形または正四角形の構造を持つことを特徴とする請求項１０記載の有機電界発光表示装置。
【請求項１４】
前記隣接するコンタクトホール間の間隔は、前記コンタクトホールの行方向長さ及び列方向長さの中で少なくとも一つの長さと同一であるかまたはそれより小さいことを特徴とする請求項１３記載の有機電界発光表示装置。
【請求項１５】
前記コンタクトホールは、円形または楕円形の構造を持つことを特徴とする請求項１０記載の有機電界発光表示装置。
【請求項１６】
前記コンタクトホールが円形である場合、前記隣接するコンタクトホール間の間隔は、前記コンタクトホールの直径と同一であるかまたはそれより小さいことを特徴とする請求項１５記載の有機電界発光表示装置。
【請求項１７】
前記補助電源ラインは、前記第２電源ラインの少なくとも両側面で前記第２電極へ前記電圧を提供するように配列されることを特徴とする請求項１０記載の有機電界発光表示装置。
【請求項１８】
前記補助電源ラインは、前記第２電源ラインの各側面の少なくとも一つの位置で前記電極へ前記電圧を提供するように配列されることを特徴とする請求項１７記載の有機電界発光表示装置。
【請求項１９】
前記多数のコンタクトホールは、同一サイズを持ち、隣接するコンタクトホールの間に互いに同一である間隔を置いて配列されることを特徴とする請求項１０記載の有機電界発光表示装置。
【請求項２０】
前記多数のコンタクトホールの各々の円周長さの合計が前記第２電源ラインと前記電極の重畳領域の円周長さより大きいことを特徴とする請求項１０記載の有機電界発光表示装置。
【請求項２１】
各々第１及び第２電極、第１及び第２電極の間に介在された有機薄膜層を具備する多数の画素が配列された画素領域と、
前記画素領域の画素に第１レベルの電圧を提供するための第１電源ラインと、
前記第２電極へ第２レベルの電圧を提供するための、少なくとも前記第２電極と重畳される領域を具備する第２電源ラインとを含み、
前記第２電源ラインは、多数のコンタクトホールを備え、
前記多数のコンタクトホールは、列と行方向のマトリックス形態で配列されて前記第２電極と第２電源ライン間の連結を提供し、
前記第２電源ラインは、列方向へ少なくとも２個以上のコンタクトホールが配列されることを特徴とする有機電界発光表示装置。
【請求項２２】
前記コンタクトホールは、直四角形または正四角形の四角構造を持つことを特徴とする請求項２１記載の有機電界発光表示装置。
【請求項２３】
前記多数のコンタクトホールは、同一サイズを持ち、隣接するコンタクトホール間に互いに同一である間隔で配列されることを特徴とする請求項２１記載の  有機電界発光表示装置。
【請求項２４】
前記隣接するコンタクトホール間の間隔は、前記コンタクトホールの行方向長さ及び列方向長さの中で少なくとも一つの長さと同一であるかまたはそれより小さいことを特徴とする請求項２２記載の有機電界発光表示装置。
【請求項２５】
前記コンタクトホールは、円形または楕円形の構造を持つことを特徴とする請求項２１記載の有機電界発光表示装置。
【請求項２６】
前記コンタクトホールが円形である場合、隣接するコンタクトホール間の間隔は前記コンタクトホールの直径と同一であるかまたはそれより小さいことを特徴とする請求項２５記載の有機電界発光表示装置。
【請求項２７】
前記第２電源ラインへ提供される電圧は、前記第２電源ラインの少なくとも一側の一つの位置から提供されることを特徴とする請求項２１記載の有機電界発光表示装置。
【請求項２８】
前記多数のコンタクトホールの各々の円周長さの合計が、前記第２電源ラインと前記第２電極の重畳領域の円周長さより大きいことを特徴とする請求項２１記載の有機電界発光表示装置。
【発明の詳細な説明】
【技術分野】
【０００１】
本発明は、有機電界発光表示装置に関し、より詳しくは、カソード電極との連結のための多数のコンタクトホールを具備した有機電界発光表示装置のカソード電源ラインに関する。
【背景技術】
【０００２】
一般的に、有機電界発光表示装置は、自発光型表示装置として、有機発光層から光が発光される方向によって背面発光構造と前面発光構造及び両面発光構造で分けることができる。前面発光形有機電界発光表示装置は、画素が配列された基板と反対方向へ光が放出されることで、画素が配列された基板方向へ光が放出される背面発光形有機電界発光表示装置より開口率が増加する利点がある。
【０００３】
前面発光形有機電界発光表示装置は、画素の有機発光層から放出される光が基板と反対方向へ放出されるので、有機発光層を間に介在する２個の電極の中で光が放出される電極を透明電極で形成する必要がある。通常的に、有機電界発光表示装置での透明電極ではＩＴＯのような透明導電物質が使われる。しかし、前記透明導電物質は、高い抵抗値を持つので、前記透明電極の高い抵抗により電圧降下が発生し、電圧降下により表示装置の輝度不均一が発生する問題点があった。
【０００４】
これを解決するために、前面発光形有機電界発光表示装置の有機発光層の上／下部に形成された２個の電極の中で透明電極、例えば、カソード電極にカソード電圧を供給するためのカソード電源ラインを金属物質で使用する技術が提案された。
【０００５】
図５は、従来のカソード電源ラインを具備した有機電界発光表示装置を示す平面図、図６は、図５の有機電界発光表示装置において，カソード電極との連結のためのコンタクトホールを具備したカソード電源ラインの平面図であるである。
【０００６】
図５を参照すると、従来の有機電界発光表示装置１００は、多数の画素が配列された画素領域１１０と、前記画素領域１１０の上側と左右側に配列されて電源電圧（ＶＤＤ）を提供する上部電源ライン１２０と、前記画素領域１１０の下側に配列されて電源電圧（ＶＤＤ）を提供する下部電源ライン１３０と、スキャン信号を順次に提供するスキャンドライバー１４０と、前記画素領域１１０の画素へデータ信号を提供するためのデータドライバー１５０と、前記画素領域１１０の上部に全面電極形態で形成されたカソード電極１６０とを含む。
【０００７】
また、従来の有機電界発光表示装置は、外部からカソード電圧が印加される外部端子１７１に連結されるカソード電源ライン１７０をさらに含む。前記カソード電源ライン１７０は、図６に図示されるように、前記カソード電極１６０との連結のためのコンタクトホール１８０を含む。前記カソード電極１６０とカソード電源ライン１７０は、コンタクトホール１８０を通じて連結されるので、外部端子１７１から提供されるカソード電圧はカソード電源ライン１７０に提供され、コンタクトホール１８０を通じてカソード電極１６０に提供される。
【０００８】
前記のように構成される従来の有機電界発光表示装置の動作を説明すると、次の通りである。
【０００９】
まず、スキャンドライバー１４０とデータドライバー１５０からスキャン信号とデータ信号が画素領域１１０に配列された画素へ印加される。また、前記上部及び下部電源ライン１２０、１３０から一定レベルの電源電圧（ＶＤＤ）が画素領域１１０の画素に提供され、前記カソード電源ライン１７０からコンタクトホール１８０を通じてカソード電圧がカソード電極１６０に提供される。したがって、前記画素領域１１０に配列された各画素を構成するスイッチングトランジスター及び駆動トランジスター（図示ぜず）の駆動によって画素の有機発光層から光が発光されて前記カソード電極１６０を通じて放出される。
【００１０】
この時、前記カソード電源ライン１７０を通じて流れる電流は、コンタクトホール１８０の周辺部に集中されて電流密度がコンタクトホール１８０の周辺で一番大きくなる。図６に図示されるように、電流移動度は前記コンタクトホール１８０の周辺（Ｅｄｇｅ）部から中心方向へ行くほど減少するので、コンタクトホール１８０内に多数の等電位線が形成され、最低電流量が中心部に存在する。
【００１１】
したがって、図６のように、カソード電極１６０とカソード電源ライン１７０間の連結のためのコンタクトホール１８０をカソード電源ライン１７０中のカソード電極１６０とオーバーラップされる領域にかけて大きく形成すると、電流密度が集中されるコンタクトホール１８０の円周長さが増加するようになる。しかし、電流密度がコンタクトホール１８０の周辺部にだけ集中されるので、コンタクトホールの周辺部から中心部に行くほど電流移動度が減少するようになり、それによって、電圧降下（ＩＲ  ｄｒｏｐ）が発生することにより輝度が低下される問題点が発生する。
【発明の開示】
【発明が解決しようとする課題】
【００１２】
したがって、本発明は、上述したような従来技術の問題点を解決するためになされたもので、その目的は、カソード電極とカソード電源ラインを多数のコンタクトホールを通じて連結して電流移動度を増加させることができる有機電界発光表示装置を提供することにある。
【００１３】
また、本発明の他の目的は、カソード電源ラインとカソード電極を多数のコンタクトホールを通じて連結してカソード電源ラインでの電圧降下（ＩＲ  ｄｒｏｐ）を防止することができる有機電界発光表示装置を提供することにある。
【課題を解決するための手段】
【００１４】
前記目的を達成するために本発明では、各々第１及び第２電極、第１及び第２電極の間に介在された有機薄膜層を備える多数の画素が配列された画素領域と、前記画素領域の画素へ第１レベルの電圧を提供するための第１電源ラインと、第２電極へ第２レベルの電圧を提供するための、少なくとも前記第２電極と重畳される領域を備える第２電源ラインとを含み、前記第２電源ラインは、前記重畳領域に前記第２電極との連結のための多数のコンタクトホールを備え、各々のコンタクトホールの円周長さの総合が前記重畳領域の円周長さより大きい有機電界発光表示装置を提供することを特徴とする。
【００１５】
また、本発明は、各々第１及び第２電極と、第１及び第２電極の間に介在された有機薄膜層を具備する多数の画素が配列された画素領域と、前記画素領域の画素に第１レベルの電圧を提供するための第１電源ラインと、第２電極へ第２レベルの電圧を提供するための、少なくとも前記第２電極と重畳される領域を備える第２電源ラインを含み、前記第２電源ラインは、前記画素領域の少なくとも一側に配列され、前記重畳領域に前記第２電極との連結のための多数のコンタクトホールを備え、前記第２電源ラインは、前記電圧を前記第２電極へ提供するための多数の補助電源ラインを備える有機電界発光表示装置を提供することを特徴とする。
【００１６】
また、本発明は、各々第１及び第２電極と、第１及び第２電極の間に介在された有機薄膜層を備える多数の画素が配列された画素領域と、前記画素領域の画素に第１レベルの電圧を提供するための第１電源ラインと、第２電極へ第２レベルの電圧を提供するための、少なくとも前記第２電極と重畳される領域を備える第２電源ラインとを含み、前記第２電源ラインは、多数のコンタクトホールを備え、前記多数のコンタクトホールは、列と行方向のマトリックス形態で配列されて前記第２電極と第２電源ライン間の連結を提供し、前記第２電源ラインは、列方向へ少なくとも２個以上のコンタクトホールが配列される有機電界発光表示装置を提供することを特徴とする。
【００１７】
前記コンタクトホールは、直四角形または正四角形の四角構造を持ち、前記多数のコンタクトホールは同一サイズを持ち、隣接するコンタクトホール間に互いに同一である間隔で配列される。前記隣接するコンタクトホール間の間隔は、前記コンタクトホールの行方向長さ及び列方向長さの中で少なくとも一つの長さと同一であるかまたはそれより小さいことを特徴とする。
【００１８】
前記コンタクトホールは、円形または楕円形の構造を持ち、前記多数のコンタクトホールは同一サイズを持ち、隣接するコンタクトホール間に互いに同一である間隔で配列される。前記コンタクトホールが円形である場合に隣接するコンタクトホール間の間隔は、前記コンタクトホールの直径と同一であるかまたはそれより小さいことを特徴とする。前記第２電源ラインへ提供される電圧は、前記第２電源ラインの少なくとも一側の一つの位置から提供され、前記多数のコンタクトホールの各々の円周長さの総合が前記第２電源ラインと前記電極の重畳領域の円周長さより大きいことを特徴とする。
【発明の効果】
【００１９】
上述のように本発明によると、電圧降下を補償するための有機電界発光表示装置において、カソード電極とコンタクトホールを通じて連結されて外部からカソード電圧を印加するためのカソード電源ラインに多数個のコンタクトホールを形成することにより、カソード電源ラインのコンタクトホールの電流密度を増加させて移動度が増加され、カソード電源ラインの電圧降下（ＩＲ  ｄｒｏｐ）を防止することができる利点がある。
【発明を実施するための最良の形態】
【００２０】
以下、添付の図面を参照して本発明の実施の形態について詳しく説明する。
【実施例１】
【００２１】
図１は、本発明の第１実施例による有機電界発光表示装置において、カソード電極との連結のためのコンタクトホールを具備したカソード電源ラインを示す平面図である。本発明の第１実施例による有機電界発光表示装置は、図５に図示された有機電界発光表示装置と同一であり、カソード電極に連結されるカソード電源ラインの構造だけが違うので、図１にはカソード電源ラインに限定して図示した。
【００２２】
本発明の第１実施例による有機電界発光表示装置は、多数の画素が配列された画素領域１１０と、前記画素領域１１０の上側と左側及び右側に配列されて電源電圧（ＶＤＤ）を提供する上部電源ライン１２０と、前記画素領域の下側に配列されて電源電圧を提供する下部電源ライン１３０と、前記画素領域１１０の画素へスキャン信号を順次に提供するスキャンドライバー１４０と、前記画素領域の画素へデータ信号を提供するためのデータドライバー１５０とを含む。
【００２３】
また、第１実施例による有機電界発光表示装置は、前記画素領域１１０の上部にかけて全面電極形態で形成されたカソード電極１６０と、前記カソード電極１６０と重畳されるように形成されて外部端子１７１からカソード電圧を前記カソード電極１６０に提供するためのカソード電源ライン２７０とをさらに含む。
【００２４】
図１を参照すると、前記カソード電源ライン２７０は、前記カソード電極１６０との重畳領域に前記カソード電極１６０との連結のための多数のコンタクトホール２８０を具備する。前記カソード電源ライン２７０は、前記カソード電極１６０との重畳領域に多数のコンタクトホール２８０が配列され、前記カソード電源ライン２７０とカソード電極１６０が前記多数のコンタクトホールを通じて互いに電気的に連結される。
【００２５】
前記コンタクトホール２８０は、カソード電源ライン２７０で前記カソード電極１６０と重畳される部分に列と行のマトリックス形態で配列され、各列に配列されるコンタクトホール２８０の数が同一であり、各行に配列されるコンタクトホールの数も同一であるように配列される。前記コンタクトホール２８０は全部同一サイズと同一模様を持ち、隣接するコンタクトホール２８０間の間隔が一定になるように配列される。第１実施例において、前記コンタクトホール２８０は四角形の構造を持つ。
【００２６】
第１実施例による多数のコンタクトホール２８０を具備したカソード電源ライン２７０でのコンタクトホールの円周長さと従来のように一つのコンタクトホール１８０を具備したカソード電源ライン１７０でのコンタクトホールの円周長さについて説明すると次のようになる。
【００２７】
まず、第１実施例では、カソード電源ライン２７０でカソード電極とオーバーラップされる部分にｎ個のコンタクトホールが列と行のマトリックス形態で配列され、各コンタクトホールの列と行方向の長さが各々ｚ及びｔであり、隣接するコンタクトホール間の間隔がｓほど離れていると仮定する。また、カソード電源ライン２７０でカソード電極１６０とオーバーラップされる部分の行と列方向の長さが各々Ａ及びＬと仮定する。
【００２８】
第１実施例によるカソード電源ライン２７０に配列された各コンタクトホールの面積は（ｚ×ｔ）になり、各コンタクトホール２８０の円周長さは２（ｚ＋ｔ）になる。カソード電源ライン２７０でカソード電極１６０と重畳された部分にｎ個のコンタクトホール２８０が配列されるので、カソード電源ライン２７０のコンタクトホール２８０の総面積及び総円周長さは各々のコンタクトホール２８０の面積と円周長さの合計になる。したがって、カソード電極１６０とカソード電源ライン２７０が重畳される部分に総ｎ個のコンタクトホール２８０が形成される場合、コンタクトホールの全長は２ｎ（ｚ＋ｔ）になり、コンタクトホールの総面積はｎ（ｚ×ｔ）になる。
【００２９】
一方、カソード電源ライン２７０の中でカソード電極１６０との重畳領域に最大サイズのコンタクトホール２８０を形成する場合、前記コンタクトホール２８０の行方向及び列方向の長さは各々Ａ及びＬになるので、コンタクトホール２８０の全長及び総面積は各々２（Ａ＋Ｌ）及びＡ×Ｌになる。
【００３０】
従って、第１実施例でカソード電源ライン２７０でカソード電極と重畳される部分に多数のコンタクトホール２８０が配列される場合、下記の式（１）及び（２）を満足するように多数のコンタクトホールを形成すると、カソード電源ライン２７０を通じた電圧降下が防止される。
【００３１】
Ｌ×Ａ＞ｎ（ｚ×ｔ）．．．．．（１）  
２ｎ（ｚ＋ｔ）＞２（Ａ＋Ｌ）．．．．．（２）  
一方、第１実施例では、列と行方向へ配列された多数のコンタクトホール２８０の中で隣接したコンタクトホール２８０間の間隔（ｓ）がコンタクトホールの列方向長さ及び行方向長さと同一であるかまたはそれより小さくなるように配列することが望ましい。特に、隣接するコンタクトホール２８０間の間隔（ｓ）は、コンタクトホール２８０の列方向長さまたは行方向長さの中で小さい長さと同一であるかそれより小さいことが望ましい。
【００３２】
前記式（１）及び式（２）から分かるように、カソード電源ライン２７０に多数のコンタクトホール２８０をその全長がカソード電源ライン２７０とカソード電極１６０がオーバーラップされる領域の大きさより大きくなるように形成することにより、電流移動度を増加させて、電圧降下を防止することができるようになる。
【００３３】
即ち、図１のように、各コンタクトホール２８０の周辺部では、等電位線に沿って電流密度が高く現われ、コンタクトホール２８０の中心部では電流密度が低く現われ、一番中心部は最低電流密度を持つ最低電流量地点が存在する。しかし、第１実施例のように、各コンタクトホールの円周長さの合計がカソード電極とのオーバーラップされた領域の円周長さより大きくなるように多数個のコンタクトホールを形成すると、各コンタクトホール２８０の周辺部で等電位線に沿って同一レベルの高い電流密度を持つ領域が多数個形成されるので、電流移動度の側面で非常に有利になる。
【００３４】
したがって、多数のコンタクトホール２８０を具備した第１実施例による有機電界発光表示装置は、電流移動度の増加による電圧降下（ＩＲ  ｄｒｏｐ）を減らすことができるので、輝度の低下を防止することができる。
【実施例２】
【００３５】
図２は、本発明の第２実施例による有機電界発光表示装置において、多数のコンタクトホールを具備したカソード電源ラインの平面構造を示す図である。第２実施例による有機電界発光表示装置も第１実施例と同一である構造を持つので、図２ではカソード電源ラインに限定して図示した。
【００３６】
図２を参照すると、前記カソード電源ライン２７０は、前記カソード電極１６０と重畳される部分に前記カソード電極１６０との連結のための多数のコンタクトホール２８０を具備する。前記カソード電源ライン２７０は、前記カソード電極１６０との重畳領域に多数のコンタクトホール２８０が配列され、前記カソード電源ライン２７０とカソード電極１６０が前記多数のコンタクトホールを通じて互いに電気的に連結される。
【００３７】
前記コンタクトホール２８０は、カソード電源ライン２７０で前記カソード電極１６０とオーバーラップされる部分に列と行のマトリックス形態で配列され、各列に配列されるコンタクトホール２８０の数が同一であり、各行に配列されるコンタクトホール２８０の数も同一になるように配列される。前記コンタクトホール２８０は、全部同一サイズと同一模様を持ち、隣接するコンタクトホール２８０間の間隔が一定になるように配列される。第２実施例で、前記コンタクトホール２８０は円形の構造を持つ。
【００３８】
第２実施例による多数のコンタクトホール２８０を具備したカソード電源ライン２７０でのコンタクトホール２８０の円周長さと従来のように一つのコンタクトホール１８０を具備したカソード電源ライン１７０でのコンタクトホールの円周長さについて説明すると次のようになる。
【００３９】
まず、第２実施例では、カソード電源ライン２７０でカソード電極１６０とオーバーラップされる部分にｎ個のコンタクトホールが列と行のマトリックス形態で配列され、各コンタクトホール２８０の半径はｒであり、隣接するコンタクトホール間の間隔はｓほど離れていると仮定する。また、カソード電源ライン２７０の中でカソード電極とオーバーラップされる部分の行と列方向の長さは各々Ａ及びＬと仮定する。
【００４０】
第２実施例によるカソード電源ライン２７０に配列された各コンタクトホール２８０の面積はπγ２になり、各コンタクトホールの円周長さは２πγになる。したがって、カソード電源ライン２７０でカソード電極と重畳された部分にｎ個のコンタクトホール２８０が配列されるので、カソード電源ライン２７０のコンタクトホール２８０の総面積及び全長は各々のコンタクトホール２８０の面積の合計と円周長さの合計になる。
【００４１】
したがって、カソード電極１６０とカソード電源ライン２７０が重畳される部分に総ｎ個のコンタクトホール２８０が形成される場合、コンタクトホール２８０の全長はｎ（πγ）になり、コンタクトホール２８０の総面積はｎ（πγ２）になる。
【００４２】
一方、カソード電源ライン２７０でカソード電極１６０とオーバーラップされる部分に最大サイズのコンタクトホール２８０を形成する場合、前記コンタクトホール２８０の行方向及び列方向の長さは各々Ａ及びＬになるので、コンタクトホール２８０の全長及び総面積は各々２（Ａ＋Ｌ）及びＡ×Ｌになる。
【００４３】
したがって、第２実施例で、カソード電源ライン２７０でカソード電極１６０とオーバーラップされる部分に多数のコンタクトホール２８０が配列される場合、下記の式（３）及び（４）を満足するように多数のコンタクトホール２８０を形成すると、カソード電源ライン２７０を通じた電圧降下が防止される。
【００４４】
Ｌ×Ａ＞ｎ（πγ２）．．．．．（３）  
ｎ（２πγ２）＞２（Ａ＋Ｌ）．．．．．（４）
一方、第２実施例では、カソード電源ラインに配列された多数のコンタクトホールの中で隣接したコンタクトホール間の間隔（ｓ）は、各コンタクトホール２８０の直径（２ｒ）より小さいかまたは同一であることが望ましい。
【００４５】
第２実施例によると、カソード電極１６０とオーバーラップされるカソード電源ライン２７０に形成されたコンタクトホール２８０の全体面積は、従来の有機電界発光表示装置の単一コンタクトホール１８０の面積より少なくなるが、円周長さは長くなる。
【００４６】
したがって、カソード電源ライン２７０のコンタクトホール２８０の円周面での電流移動度が高いので、全体電流移動度が増加し、それによって、電圧降下（ＩＲ  ｄｒｏｐ）が減って輝度の低下が防止される。
【実施例３】
【００４７】
図３は、本発明の第３実施例による有機電界発光表示装置の平面図である。本発明の第３実施例による有機電界発光表示装置は、第１実施例と同一であり、カソード電極に連結されるカソード電源ラインの構造だけが違うので、図３にはカソード電源ラインに限定して図示した。
【００４８】
本発明の第３実施例による有機電界発光表示装置の前記カソード電源ライン２７０は、前記カソード電極１６０とオーバーラップされる部分に前記カソード電極１６０との連結のための多数のコンタクトホール２８０を具備する。前記カソード電源ライン２７０は、前記カソード電極１６０とオーバーラップされる部分に多数のコンタクトホール２８０が配列され、前記カソード電源ライン２７０とカソード電極１６０が前記多数のコンタクトホール２８０を通じて互いに電気的に連結される。
【００４９】
前記コンタクトホール２８０は、カソード電源ライン２７０で前記カソード電極とオーバーラップされる部分に列方向へだけ配列され、各コンタクトホール２８０は、全部同一サイズと同一模様を持ち、隣接するコンタクトホール２８０の間の間隔が一定になるように配列される。第３実施例で、前記コンタクトホール２８０は、図３に図示されるように、四角形の構造を持つことで図示したが、第２実施例と同様に円形構造を持つこともできる。
【００５０】
本発明の第３実施例による多数のコンタクトホール２８０を具備したカソード電源ライン２７０でのコンタクトホール２８０の総面積及び総円周長さは、前記式（１）、（２）のような条件を満足するように形成され、電流移動度を増加させて電圧降下を防止するようになる。また、第３実施例では、列方向に配列された多数のコンタクトホール２８０の中で隣接したコンタクトホール２８０間の間隔（ｓ）がコンタクトホール２８０の列方向長さと同一であるかそれより小さいことが望ましい。
【実施例４】
【００５１】
図４は、本発明の第４実施例による有機電界発光表示装置の平面図である。本発明の第４実施例による有機電界発光表示装置は、第１実施例と同一であり、カソード電極に連結されるカソード電源ライン構造だけが違うので、図４にはカソード電極とカソード電源ラインの連結部分にだけ限定して図示した。
【００５２】
図４を参照すると、第４実施例による有機電界発光表示装置は、カソード電極５６０とオーバーラップされてカソード電圧をカソード電極５６０へ提供するためのカソード電源ライン５７０及び外部端子５５０から提供されるカソード電圧を前記カソード電源ライン５７０へ提供するためのカソード補助電源ライン５７１〜５７４を具備する。
【００５３】
前記外部端子５５０からカソード電圧が印加されると、カソード電圧はカソード補助電源ライン５７１〜５７４を通じてカソード電源ライン５７０の４方向から各々提供される。したがって、カソード電源ライン５７０に提供されるカソード電源は、第１乃至第３実施例のように、カソード電源ラインに配列された多数のコンタクトホールを通じてカソード電極に提供される。
【００５４】
第１乃至第３実施例による有機電界発光表示装置は、カソード電源ライン２７０の一側で外部端子からカソード電圧が供給される構造であるが、図４に図示された第４実施例による有機電界発光表示装置は、外部端子５５０から供給されるカソード電圧がカソード電源ライン５７０の４方向からカソード電源ライン５７１〜５７４を通じて印加されるので、カソード電源ライン５７０を通じた電圧降下を防止して輝度を一層向上させることができる。
【００５５】
本発明の第４実施例では、一つの外部端子５５０からカソード電圧の提供を受けてカソード補助電源ライン５７１〜５７４を通じて４方向からカソード電源ライン５７０へカソード電圧が供給されるように構成したが、各々の外部端子からカソード補助電源ライン５７１〜５７４を通じて４方向からカソード電源ラインへカソード電圧を供給することもできる。また、カソード電源ラインの４方向ではない２方向または３方向から各々のカソード補助電源ラインを通じてカソード電圧が供給できるだけではなく、カソード電源ラインの少なくとも一つの方向に多数のカソード補助電源ラインを配列して一つまたは多数の外部端子から多数の位置でカソード電源ラインへカソード電圧を供給することもできる。
【００５６】
本発明の好ましい実施例では、カソード電源ラインが画素領域の一側にだけ配列されてカソード電源ラインのコンタクトホールを通じてカソード電極とコンタクトされるように構成したが、画素領域の上／下側及び左／右側の中で任意に少なくとも一つ以上配列することができる。また、カソード電源ラインとカソード電極を連結するためのコンタクトホールが正四角形を含んだ四角形及び円形構造を持つことを例示したが、楕円及び多角形などのさまざまな模様を持つことができる。
【００５７】
本発明は、本発明の技術的思想から逸脱することなく、他の種々の形態で実施することができる。前述の実施例は、あくまでも、本発明の技術内容を明らかにするものであって、そのような具体例のみに限定して狭義に解釈されるべきものではなく、本発明の精神と特許請求の範囲内で、いろいろと変更して実施することができるものである。
【図面の簡単な説明】
【００５８】
【図１】本発明の第１実施例による有機電界発光表示装置において、カソード電極との連結のための多数のコンタクトホールを具備したカソード電源ラインの平面図である。
【図２】本発明の第２実施例による有機電界発光表示装置において、カソード電極との連結のための多数のコンタクトホールを具備したカソード電源ラインの平面図である。
【図３】本発明の第３実施例による有機電界発光表示装置において、カソード電極との連結のための多数のコンタクトホールを具備したカソード電源ラインの平面図である。
【図４】本発明の第４実施例による有機電界発光表示装置において、カソード電源ラインの平面図である。
【図５】従来の有機電界発光表示装置を示す平面図である。
【図６】図５の有機電界発光表示装置において、カソード電極との連結のためのコンタクトホールを具備したカソード電源ラインの平面図である。
【符号の説明】
【００５９】
１７０、２７０、５７０  カソード電源ライン
１８０、２８０  コンタクトホール
１７１、５５０  外部端子
１６０、５６０  カソード電極
５７１、５７２、５７３、５７４  カソード補助電源ライン
【図１】
2005197202.tif 000003
【図２】
2005197202.tif 000004
【図３】
2005197202.tif 000005
【図４】
2005197202.tif 000006
【図５】
2005197202.tif 000007
【図６】
2005197202.tif 000008